(57)【要約】  本発明によれば、剃刀カートリッジは、フレーム上に配置された複数の皮膚係合要素を含む。皮膚係合要素は、鋭利な刃先と、第１のインターブレードガードと、キャップとを有する少なくとも２つ又はそれ以上の実質的にブレードを含む。２つ又はそれ以上のブレードは、互いに平行関係でフレーム上に配置される。第１のインターブレードガードは、２つのブレードの間のフレーム上に配置される。リンススルーギャップは、第１のインターブレードガードと該第１のインターブレードガードの後方のブレードとの間のフレームの実質的に全体の長さにわたって延びる。【選択図】図４Ａ
2008543374.tif 000002
【特許請求の範囲】
【請求項１】
長さを定めるフレームと、
前記フレーム上にほぼ縦方向に配置された複数の皮膚係合要素と、
を備えた剃刀カートリッジであって、前記皮膚係合要素が、
ブレード長の少なくとも一部分に沿って延びる鋭利な刃先を各々が有する、互いに平行関係にある２つ又はそれ以上のブレードと、
ある長さと、前記ブレードの１つがすぐ前方にあり且つ前記ブレードの１つがすぐ後方に位置付けられるように前記ブレードの２つの間で前記フレーム上に配置された皮膚係合面とを有する第１のインターブレードガードと、
を含み、
前記第１のインターブレードガードと前記第１のインターブレードガードのすぐ後方の前記ブレードとの間で、前記第１のインターブレードガードのすぐ後方の前記ブレードの実質的に全体の長さにわたってリンススルーギャップが延びており、該リンススルーギャップがシェービング平面に対してほぼ垂直の角度で前記剃刀カートリッジを通って延びる、
ことを特徴とする剃刀カートリッジ。
【請求項２】
前記剃刀カートリッジが、少なくとも３つのブレードを含む、
ことを特徴とする請求項１に記載の剃刀カートリッジ。
【請求項３】
前記剃刀カートリッジが、少なくとも１つの付加的なインターブレードガードを含み、各前記付加的なインターブレードガードが２つのブレードの間に配置されて、１つのブレードが各前記付加的なインターブレードガードのすぐ前方に位置付けられ、且つ１つのブレードが各前記付加的なインターブレードガードのすぐ後方に位置付けられるようにし、
各前記インターブレードガードが、少なくとも１つのブレードによって他の前記インターブレードガードの各々から分離される、
ことを特徴とする請求項２に記載の剃刀カートリッジ。
【請求項４】
付加的なリンススルーギャップが、前記付加的なインターブレードガードの各々と、同じ前記付加的なインターブレードガードのすぐ後方の前記ブレードとの間で且つ前記付加的なインターブレードガードのすぐ後方の前記ブレードの実質的に長さ全体にわたって延びる、
ことを特徴とする請求項３に記載の剃刀カートリッジ。
【請求項５】
前記２つ又はそれ以上のブレードの後方の前記フレーム上に配置されているキャップを更に含む、
ことを特徴とする請求項１に記載の剃刀カートリッジ。
【請求項６】
前記キャップと該キャップのすぐ前方の前記ブレードとの間に配置されたブレードガードを更に含み、
前記ブレードガードと前記キャップとの間で前記フレームの長さの少なくとも一部分にわたってキャップリンススルーギャップが延びている、
ことを特徴とする請求項５に記載の剃刀カートリッジ。
【請求項７】
前記キャップリンススルーギャップが、前記シェービング平面に対してほぼ垂直の角度で前記剃刀カートリッジを通って延びる、
ことを特徴とする請求項６に記載の剃刀カートリッジ。
【請求項８】
長さを定めるフレームと、
前記フレーム上にほぼ縦方向に配置された複数の皮膚係合要素と、
を備えた剃刀カートリッジであって、前記皮膚係合要素が、
ブレード長の少なくとも一部分に沿って延びる鋭利な刃先を各々が有する、互いに平行関係で前記フレーム上に配置された２つ又はそれ以上の実質的に平面のブレードと、
前記ブレードの１つがすぐ前方にあり且つ前記ブレードの１つがすぐ後方にあるように、前記ブレードの２つの間で前記フレーム上に配置された湾曲皮膚係合面を有する第１のインターブレードガードと、
を含み、
前記第１のインターブレードガードが、該第１のインターブレードガードのすぐ前方の前記ブレードの少なくとも一部分に隣接しており、
前記第１のインターブレードガードと前記第１のインターブレードガードのすぐ後方の前記ブレードとの間で前記剃刀カートリッジを通ってリンススルーギャップが存在して延びており、該リンススルーギャップが、前記第１のインターブレードガードの後方の前記ブレードの実質的に長さ全体にわたって延びる、
ことを特徴とする剃刀カートリッジ。
【請求項９】
前記剃刀カートリッジが、少なくとも３つのブレードを含む、
ことを特徴とする請求項８に記載の剃刀カートリッジ。
【請求項１０】
前記剃刀カートリッジが、少なくとも１つの付加的なインターブレードガードを含み、各付加的なインターブレードガードが２つのブレードの間に配置されて、１つのブレードが各前記付加的なインターブレードガードのすぐ前方に位置付けられ且つ１つのブレードが各前記付加的なインターブレードガードのすぐ後方に位置付けられるようにし、
各前記インターブレードガードが、少なくとも１つのブレードによって他の前記インターブレードガードの各々から分離される、
ことを特徴とする請求項９に記載の剃刀カートリッジ。
【請求項１１】
前記付加的なインターブレードガードの各々と同じ前記付加的なインターブレードガードのすぐ後方の前記ブレードとの間で、前記同じ付加的なインターブレードガードのすぐ後方の前記ブレードの実質的に長さ全体にわたって付加的なリンススルーギャップが延びる、
ことを特徴とする請求項１０に記載の剃刀カートリッジ。
【請求項１２】
２つ又はそれ以上のブレードの後方の前記フレーム上に配置されたキャップを更に含む、
ことを特徴とする請求項８に記載の剃刀カートリッジ。
【請求項１３】
前記キャップと該キャップのすぐ前方の前記ブレードとの間に配置されたブレードガードを更に含み、
前記ブレードガードと前記キャップとの間に前記フレームの長さの少なくとも一部分にわたってキャップリンススルーギャップが延びる、
ことを特徴とする請求項１２に記載の剃刀カートリッジ。
【請求項１４】
前記キャップリンススルーギャップが、シェービング平面に対してほぼ垂直の角度で剃刀カートリッジを通って延びる、
ことを特徴とする請求項１３に記載の剃刀カートリッジ。
【請求項１５】
長さを定めるフレームと、
通常のシェービング動作時に使用者の皮膚に接触し、且つ前記フレーム全体にわたってほぼ縦方向に延びる複数の皮膚係合要素と、
を備えた、剃刀カートリッジであって、前記皮膚係合要素が、
キャップと、
ブレード長の少なくとも一部分に沿って延びる鋭利な刃先を各々が有する、前記キャップの前方に互いに平行関係で前記フレーム上に配置された２つ又はそれ以上の実質的に平面のブレードと、
前記ブレードの１つがすぐ前方にあり且つ前記ブレードの１つがすぐ後方に位置付けられるように、前記ブレードの２つの間で前記フレーム上に配置された第１のインターブレードガードと、
を含み、
前記第１のインターブレードガードが、該第１のインターブレードガードのすぐ前方の前記ブレードの少なくとも一部分に実質的に隣接しており、
前記第１のインターブレードガードと該第１のインターブレードガードのすぐ後方の前記ブレードとの間で且つシェービング平面に対してほぼ垂直の角度で前記剃刀カートリッジを通って前記フレームの長さの少なくとも一部分にわたってリンススルーギャップが延びている、
ことを特徴とする剃刀カートリッジ。
【請求項１６】
前記剃刀カートリッジが、少なくとも３つのブレードを含む、
ことを特徴とする請求項１５に記載の剃刀カートリッジ。
【請求項１７】
前記剃刀カートリッジが、少なくとも１つの付加的なインターブレードガードを含み、各付加的なインターブレードガードが２つのブレードの間に配置されて、１つのブレードが各前記付加的なインターブレードガードのすぐ前方に位置付けられ且つ１つのブレードが各前記付加的なインターブレードガードのすぐ後方に位置付けられるようにし、
各前記インターブレードガードが、少なくとも１つのブレードによって他の前記インターブレードガードの各々から分離される、
ことを特徴とする請求項１６に記載の剃刀カートリッジ。
【請求項１８】
前記インターブレードガードのすぐ後方の前記ブレードの実質的に長さ全体にわたって、少なくとも１つの前記付加的なインターブレードガードと同じ前記付加的なインターブレードガードのすぐ後方の前記ブレードとの間の前記剃刀カートリッジを通って付加的なリンススルーギャップが延びる、
ことを特徴とする請求項１７に記載の剃刀カートリッジ。
【請求項１９】
前記キャップと該キャップのすぐ前方の前記ブレードとの間に配置されたブレードガードを更に含み、
前記フレームの長さの少なくとも一部分にわたって前記ブレードガードの間にキャップリンススルーギャップが延びる、
ことを特徴とする請求項１５に記載の剃刀カートリッジ。
【請求項２０】
前記キャップリンススルーギャップが、シェービング平面に対してほぼ垂直の角度で剃刀カートリッジを通って延びる、
ことを特徴とする請求項１９に記載の剃刀カートリッジ。
【発明の詳細な説明】
【技術分野】
【０００１】
本発明は、全体的に剃刀カートリッジに関し、より詳細には２つのブレードの間に配置されたインターブレードガードを有する剃刀カートリッジに関する。
【背景技術】
【０００２】
最新の湿式シェービング剃刀は、ハンドル上に装着した剃刀カートリッジ内に配置される複数のブレードを含む。一部の安全剃刀は、再利用可能ハンドル上に取り外し可能に装着した使い捨て剃刀カートリッジを有するが、他の安全剃刀では、単一の使い捨てユニットとして製造されたハンドル及び剃刀カートリッジを有する。典型的には、剃刀カートリッジは、ガード、２つ又はそれ以上のブレード、及びキャプなどの幾つかの皮膚係合要素が装着されるフレームを含む。ガードはブレードの前方に配置され、キャップはブレードの後方に配置される。本明細書で用いる用語「前方」及び「後方」は、剃刀カートリッジの特徴部間の相対的位置を定める。例えばブレードの「前方」の皮膚係合特徴部は、通常のシェービング動作時において剃られる表面がブレードに当たる前に当該特徴部が当たるように位置付けられる。反対に、例えばブレードの「後方」の皮膚係合特徴部は、剃られることになる表面が、通常のシェービング中にブレードに当たった後に当該特徴部に当たるように位置付けられる。
【０００３】
典型的には、２つ又はそれ以上のブレードは、これらが互いに平行な関係にあり且つ互いに僅かに離間されるように、ガードとキャプとの間の剃刀カートリッジ内に位置付けられる。各ブレードは、所望の表面から毛を剃るように動作可能な鋭利な刃先を含む。ブレード間の距離（すなわち、「先端間のスパン」）は、隣接するブレードの鋭利な刃先間の直線に沿って剃刀カートリッジ全体で横方向に測定される。シェービング時、剃られる表面全体にわたって使用者が剃刀カートリッジを引くと、剃刀ブレードの刃先が所望の表面から毛を剃る。
【０００４】
剃刀カートリッジの性能と商業的成功は、限定ではないが、安全性、快適性及び洗浄性を含む、多くの要因及び特徴の均衡にある。フレーム上に配置されたブレードの先端間スパンは、上述の要因の各々に大きな影響を与える。一方、最近の研究では、先端間のスパンを小さくすることによりシェービング快適性が高まることが示された。先端間のスパンが小さい剃刀カートリッジは、通常のシェービング時により小さな皮膚隆起部が近接ブレード間のギャップに入ることを可能にする。図１は、様々な先端間スパンを有する剃刀ブレードによってもたらされる、皮膚隆起の差を示している。図１に示すように、比較的小さな先端間のスパンを有する２つのブレード間の皮膚隆起は、相対的に大きな先端間スパンを有する２つのブレードの間で皮膚隆起が後縁ブレードに接近する角度（全体的に「Ｂ」で特定される）よりもより浅い角度（全体的に「Ａ」で特定される）で後縁ブレードに接近する。皮膚が剃刀ブレードに効果的に接近する角度が小さくなると、皮膚表面上の抵抗が小さくなり、その結果、安全性（すなわち、切り傷がより少ない）及び使用者の快適性が増大することになる。
【０００５】
しかしながら、他方では、ブレード間の先端間スパンを小さくすると、剃刀カートリッジの洗浄性に悪影響を与える。使用者がひげを剃ると、刈り込んだ毛、皮膚粒子、シェービングクリーム、及び／又は他の破片がブレード間の空間に入る。一般に、先端間スパンが小さくなるほど、ブレード間の破片を洗浄いで落とすのがより困難になる。ブレード間の空間内に残った破片は、剃られる表面の皮膚が、通常のシェービング時に２つ又はそれ以上のブレード間の空間に入るのを妨げるので、剃刀カートリッジの性能に悪影響を与える可能性がある。
【０００６】
従って、快適性を高めるために先端間のスパンを小さくする必要性と、より優れた洗浄性を達成するために先端間スパンを広げる要望との間の葛藤がある。ブレードが互いに接近する程、快適性を最大にする先端間のスパンを該先端が達成するより先に、ブレンド間のギャップが剃刀ブレード及び／又は剃刀ブレード支持材料で最終的に完全に塞がれてしまうことにより、両方の要因を最大限にする上での問題はますます増大するばかりである。図２はこの難問を示している。
【０００７】
従って、当該技術分野において、洗浄性を制限することなく快適性を高めるために、剃刀カートリッジ内に配置されたブレードの先端間スパンを効果的に小さくする剃刀カートリッジを提供する必要性がある。
【発明の開示】
【０００８】
本発明によれば、剃刀カートリッジは、フレーム及び複数の皮膚係合要素を含む。フレームは、ある長さを有し、皮膚係合要素は、フレーム上にほぼ縦方向に配置される。皮膚係合要素は、少なくとも２つ又はそれ以上のブレード及び第１のインターブレードガードを含む。ブレードは、互いに平行関係で位置付けられ、ブレード長の少なくとも一部分に沿って延びる鋭利な刃先を有する。第１のインターブレードガードは皮膚係合面を有し、ブレードの１つが該第１のインターブレードガードのすぐ前方にあり、ブレードの１つが該第１のインターブレードガードのすぐ後方に位置付けられるように２つのブレードの間に配置される。リンススルーギャップは、インターブレードガードのすぐ後方のブレードの実質的に全体の長さにわたって、第１のインターブレードガードと該第１のインターブレードガードのすぐ後方のブレードとの間に延びる。リンススルーギャップは、シェービング平面に対してほぼ垂直の角度で剃刀カートリッジを通って延びる。
【０００９】
本発明の１つの態様によれば、本発明の剃刀カートリッジは、各付加的なインターブレードガードが２つのブレードの間に位置付けられ、各インターブレードガードが、少なくとも１つのブレードによって他のインターブレードガードの各々から分離される限り、上述の第１のインターブレードガードに類似した付加的なインターブレードガードを更に含むことができる。
【００１０】
本発明の１つの利点は、シェービング時に、皮膚係合要素間の有効スパンが小さくなり、これによって快適性及び安全性が高くなる点である。加えて、インターブレードガードのすぐ後方のブレードは、リンススルーを妨げることなくインターブレードガードの近接近の範囲内で移動することができる。従って、本発明の快適性、安全性、及び洗浄性は従来技術に比べて改善される。
【００１１】
本発明のこれら及び他の利点は、当業者であれば詳細な説明及び図面に照らして明らかになるであろう。
【発明を実施するための最良の形態】
【００１２】
図３−４Ｂを参照すると、本発明の剃刀カートリッジは、全体的に数字１０で特定される。剃刀カートリッジ１０は、幅（「Ｗ」）及び長さ（「Ｌ」）を定め、フレーム１４上に配置された複数の皮膚係合要素１２を含む。皮膚係合要素１２は、キャップ１６、少なくとも２つのブレード１８、第１のインターブレードガード２０、及びガード２２を含む。幾つかの実施形態では、ブレード１８及び／又は第１のインターブレードガード２０は、例えば図４に示すように、ブレード支持構造体２４上に装着される。加えて、剃刀カートリッジ１０は、図３に示すように恒久的又は取り外し可能にハンドル２６に取り付けられることが多い。
【００１３】
図３Ａを参照すると、ガード２２は、ブレード１８の前方のフレーム１４上にほぼ縦方向に配置される。ガード２２は、当業者に公知のあらゆる好適な材料で作ることができ、突起部２９及び／又はシェービング補助ストリップ（図示せず）などの付加的な要素を含むことができる。ガード２２の外部皮膚係合面２８は、通常のシェービング動作時に剃られる表面と接触している。ガード２２は、典型的にはフレーム１４と一体的に形成され（但し図示せず）、ガード２２はまた、例えばハンドル２６に接続され、フレーム１４に枢動可能に接続することができる。ガード２２は、当該技術分野で公知であり、従って、本発明が限定されずにあらゆる特定のタイプのガード２２で用いられる点を指摘することを除いて、本明細書では更に詳細には議論しない。
【００１４】
図３Ａを引き続き参照し、キャップ１６は、ブレード１８の後方のフレーム１４全体にわたってほぼ縦方向に延び、皮膚係合面３０を含む。キャップ１６の皮膚係合面３０は、通常のシェービング動作時に剃られる表面と接触状態にある。キャップ１６は、当業者には公知のあらゆる好適な材料で作ることができ、幾つかの実施形態では、キャップ１６は、シェービング補助部などの付加的な要素を含むことができる。一般にキャップ１６は、当該技術分野で公知であり、従って、本発明が限定されずにあらゆる特定のタイプのキャプ１６で用いられる点を指摘することを除いて、本明細書では更に詳細には議論しない。
【００１５】
本明細書で用いられる用語「シェービング平面」は、通常のシェービング動作時に剃られる表面の理論上の位置を表すことを目的とし、本明細書では、ガード２２及びキャップ１６の両方の皮膚係合面２８、３０に対し接線方向である剃刀カートリッジ１０全体にわたって横方向に延びる線で定められる。シェービング平面（全体的に各図面で点線で示され、「ＳＰ」として特定される）は、例えば図４に示される。加えて、用語「シェービング平面の上」及び「シェービング平面の下」とは、本明細書では、シェービング平面に対する位置を記述するのに用いられる。シェービング面の「上」及び「下」の位置は、図４及び４Ｂで特定される。
【００１６】
ここで図３Ａ及び４Ａを参照すると、各々が長さ（図３Ａに示すように「Ｌ１」）及び幅（図４Ａに示すように「Ｗ１」）を有する２つ又はそれ以上のブレード１８は、ガード２２とキャップ１６との間で互いに対し平行関係でフレーム１４上に配置される。従って、本発明の剃刀カートリッジ１０は、本発明の範囲から逸脱することなく、２つ、３つ、４つ、又はそれ以上のブレード１８を有することができる。ブレード１８の各々は、ブレードの幅（Ｗ１）の少なくとも一部分に沿って延びる鋭利な刃先３２を有し、好ましくは実質的に平面である。各ブレード１８は、各ブレードの鋭利な刃先３２が、実質的にシェービング平面（ＳＰ）の近傍に位置するように、フレーム１４上に配置される。言い換えれば、各ブレード１８の鋭利な刃先３２は、シェービング平面（ＳＰ）と実質的に接して、又はその僅かに上、或いは僅かに下にあることができる。更に、各ブレード１８は、鋭利な刃先３２が、通常のシェービング時に生じる力の下でシェービング平面（ＳＰ）と相対的に移動可能であるように、フレーム１２上に装着することができる。例えば、幾つかの実施形態では、鋭利な刃先３２は、剃刀カートリッジ１０が静止状態にある時にシェービング平面（ＳＰ）の上に位置することができるが、通常のシェービング時にブレード１８に加わる力の下でシェービング平面（ＳＰ）の下にある位置まで偏向することができる。製造時のシェービング平面（ＳＰ）に対する各ブレード１８の位置は、他のブレード１８の各々の位置とは無関係である。
【００１７】
図４−４Ｂに示すような幾つかの実施形態では、ブレード１８の１つ又はそれ以上は、ブレード支持構造体２４上に装着することができる。他の方法で可撓性のブレード１８に対して支持可能なブレード支持構造体２４は、当該技術分野で公知であり、典型的には金属の曲げ部品で作ることができる。ブレード支持体２４にブレード１８を到着するための方法は、当該技術分野で公知であり、従って、本明細書ではこれ以上詳細には議論しない。
【００１８】
図４−４Ｂを参照すると、皮膚係合面３４を有する第１のインターブレードガード２０は、２つの隣接ブレード１８の間に配置され、例えば図４に示すように、１つのブレード１８が第１のインターブレードガード２０のすぐ前方にあり、１つのブレード１８が第１のインターブレードガード２０のすぐ後方にあるようにする。図４は、ガード２２の後方の第１のブレード１８と第２のブレード１８との間に位置する第１のインターブレードガード２０を示すが、該第１のインターブレードガード２０はまた、本発明の範囲から逸脱することなく、例えば、ガード２２の後方の第２と第３のブレード１８（図４Ａ）、又はガード２２の後方の第３と第４のブレード１８（図４Ｂ）など、あらゆる２つのブレード１８の間に位置することも可能である。
【００１９】
第１のインターブレードガード２０は、皮膚係合面３４が実質的にシェービング平面（ＳＰ）の近くに位置するようにフレーム１４上に配置され、該第１のインターブレードガード２０が、通常のシェービング動作時に剃られている表面と接触しているようにする。言い換えれば、剃刀カートリッジは、第１のインターブレードガード２０が、シェービング平面（ＳＰ）と実質的に接して、又はその僅かに上、或いは僅かに下にあるように組み立てることができる。更に、第１のインターブレードガード２０は、皮膚係合面３４が、通常のシェービング時に生じる力の下でシェービング平面（ＳＰ）と相対的に移動可能であるように装着することができる。例えば、幾つかの実施形態では、第１のインターブレードガード２０の皮膚係合面３４は、剃刀カートリッジ１０が静止状態にある時にシェービング平面（ＳＰ）の上に位置することができるが、通常のシェービング時に生じる力の下でシェービング平面（ＳＰ）の下にある位置まで偏向することができる。
【００２０】
第１のインターブレードガード２０は、あらゆる好適な断面形状を有することができる。しかしながら、ほとんどの実施形態では、第１のインターブレードガード２０は、図４、４Ａ及び４Ｂに示すように、皮膚係合面３４が湾曲するような断面形状を有する。加えて、図５−５Ｄは、好適なインターブレードガード幾何形状の幾つかの付加的な実施例を示している。しかしながら、図示のサンプル断面形状は、本質的に例証に過ぎず、利用可能な第１のインターブレードガード２０の幾何形状全てを含んでいるとみなすべきではない。
【００２１】
更に図４−５Ｃを参照すると、第１のインターブレードガード２０は、リンススルーギャップ３６（図４に全体的に点線で示す）が、剃刀カートリッジ１０を通って、第１のインターブレードガード２０とインターブレードガード２０のすぐ後方のブレード１８との間に延びる限り、あらゆる好適な方式で剃刀カートリッジ１０に装着することができる。例えば、第１のインターブレードガード２０は、ブレード支持構造体２４（図４）に、インターブレードガード２０（図５）のすぐ前方のブレード１８に、及び／又はフレーム１４（図示せず）に装着することができる。
【００２２】
リンススルーギャップ３６は、好ましくは第１のインターブレードガードのすぐ後方のブレードの実質的に全体の長さ（Ｌ１）に沿って延びる。また、リンススルーギャップ３６は、図４に示すように、シェービング平面（ＳＰ）に実質的に垂直の角度で第１のインターブレードガード２０と該第１のインターブレードガードのすぐ後方のブレード１８との間に延びるのが好ましい。
【００２３】
図４−４Ｂに示すような幾つかの実施形態では、第１のインターブレードガード２０は、ブレード１８及び／又は第１のインターブレードガード２０のすぐ前方のブレード支持構造体２４に実質的に隣接している。実際に、幾つかの実施形態では、第１のインターブレードガード２０と該第１のインターブレードガード２０の前方のブレード１８との間のシェービング補助部及び他の破片の流れは、通常のシェービング時に実質的に妨げられる。
【００２４】
ここで図６を参照すると、本発明の１つの態様によれば、本発明の剃刀カートリッジ１０は、付加的なインターブレードガード３８（例えば、第２のインターブレードガード、第３のインターブレードガード、及びその他）を含むことができる。付加的なインターブレードガード３８の各々は、第１のインターブレードガード２０に対して上述のような類似の手法で装着されて成形される。付加的なリンススルーギャップ３９は、付加的なインターブレードガード３８と、同じ付加的なインターブレードガード３８のすぐ後方のブレード１８との間に延びる。付加的なリンススルーギャップ３９は、付加的なインターブレードガード３８のすぐ後方のブレードの実質的に全体の長さ（Ｌ１）に沿って延びる。また、付加的なリンススルーギャップ３９は、図６に示すようにシェービング平面（ＳＰ）に対して実質的に垂直な角度で剃刀カートリッジを通って延びるのが好ましい。
【００２５】
図６に示すような、付加的なインターブレードガード３８を有する実施形態では、各インターブレードガード２０、３８は、少なくとも１つのブレード１８によって他のインターブレードガード２０、３８から分離される。図６のインターブレードガード２０、３８は、実質的に同一であるように示されるが、インターブレードガード２０、３８の幾何形状は、同じ剃刀カートリッジ１０内で変えることができる。加えて、各付加的なインターブレードガード３８は、シェービング平面（ＳＰ）と実質的に接して、又はその僅かに上、或いは僅かに下に位置付けることができる。更に、シェービング平面（ＳＰ）に対する各インターブレードガード２０、３８の実際の位置付けは、ブレード１８及び／又は他のインターブレードガード２０、３８の各々の位置付けとは無関係にすることができる。
【００２６】
インターブレードガード２０、３８は、あらゆる好適な材料で作ることができる。例えば、金属及びポリマー材料は、特定の実用性を有することが実証されている。加えて、インターブレードガード２０、３８は、シェービング補助部などの付加的な要素を含むことができる。例えば、シェービング補助ストリップ４０は、図６に示すように、インターブレードガード２０、３８の１つ又はそれ以上の皮膚接触面３４の一部上に配置することができる。
【００２７】
本発明の別の態様によれば、上述の第１のインターブレードガード２０のものに類似した属性を有するブレードガード４２は、例えば図６Ａに示すように、キャップ１６と該キャップ１６のすぐ前方のブレード１８との間の本発明の剃刀カートリッジ１０内に配置することができる。キャップリンススルーギャップ４４は、フレームの長さ（Ｌ）の少なくとも一部分に沿ってブレードガード４２とキャップ１６との間に延びる。また、キャップリンススルーギャップ４４は、図６に示すように、シェービング平面（ＳＰ）に対して実質的に垂直の剃刀カートリッジ１０を通って延びるのが好ましい。
【００２８】
ここで本発明の動作は、各図の全てに照らして議論される。動作中、本発明の剃刀カートリッジ１０の皮膚係合要素１２（例えば、ガード２２、ブレード１８、インターブレードガード２０、３８、ブレードガード４２、及び／又はキャップ１６）をシェービングされることになる表面と接触させる。使用者が剃刀カートリッジ１０を表面全体にわたって移動させるにつれて、ブレードの鋭利な刃先が毛を剃る。インターブレードガード２０、３８とそのすぐ後方のブレード１８とが接近することにより、２つの皮膚係合要素間に設けられた空間にあまりに大きな皮膚隆起が入るのが防止される。シェービングストロークの間に、使用者は、剃刀カートリッジ内からあらゆる破片を洗い流すのを選択することができる。インターブレードガード２０、３８とそのすぐ後方に位置付けられたブレード１８との間に設けられるリンススルーギャップ３６，３９は、集められたあらゆる破片を水で洗い流すのを可能にする。同様に、キャプリンススルーギャップ４４は、存在する場合には、あらゆる破片を水で洗い流すのを可能にする。
【００２９】
当業者であれば、特定の要件に適合することができる、本明細書で示される本発明の正確な形態の種々の修正及び改作が存在することを容易に理解するであろう。
【図面の簡単な説明】
【００３０】
【図１】様々な先端間のスパンでブレード間のギャップに入る皮膚隆起の大きさを描いた従来技術の剃刀カートリッジの側断面図である。
【図２】最小先端間スパン及びリンススルーに対する影響を描いた従来技術の剃刀カートリッジの側断面図である。
【図３】ハンドル上に装着された本発明の剃刀カートリッジの斜視図である。
【図３Ａ】本発明の剃刀カートリッジの正面図である。
【図４】剃刀カートリッジが第１のブレードと第２のブレードとの間にインターブレードガードを含む、線４−４に沿った図３Ａの側断面図である。
【図４Ａ】剃刀カートリッジが、第２のブレードと第３のブレードとの間にインターブレードガードを含む、線４Ａ−４Ａに沿った図３Ａの側断面図である。
【図４Ｂ】剃刀カートリッジが、第３のブレードと第４のブレードとの間にインターブレードガードを含む、線４Ｂ−４Ｂに沿った図３Ａの側断面図である。
【図５】好適なインターブレードガード形状の実施例の側面図である。
【図５Ａ】好適なインターブレードガード形状の別の実施例の側面図である。
【図５Ｂ】好適なインターブレードガード形状の別の実施例の側面図である。
【図５Ｃ】好適なインターブレードガード形状の更に別の実施例の側面図である。
【図６】本発明の剃刀カートリッジが複数のインターブレードガードを含む、線６−６に沿った図３Ａの側断面図である。
【図６Ａ】本発明の剃刀カートリッジが、キャップと該キャップのすぐ前方のブレードとの間に複数のインターブレードガード及び付加的なブレードガードを含む、線６Ａ−６Ａに沿った図３Ａの側断面図である。
【符号の説明】
【００３１】
１０  剃刀カートリッジ
１２  皮膚係合要素
１４  フレーム
１６  キャップ１６
１８  ブレード
２０、３８、４２  ブレードガード
２２  ガード
２４  ブレード支持構造体
２６  ハンドル
２８、３０  皮膚係合面
２９  突起部
３２  鋭利な刃先
３４  皮膚係合面
３６、３９、４４  リンススルーギャップ
４０  シェービング補助ストリップ
Ａ、Ｂ  角度
Ｌ  長さ
Ｗ  幅
【図１】
2008543374.tif 000003
【図２】
2008543374.tif 000004
【図３】
2008543374.tif 000005
【図３Ａ】
2008543374.tif 000006
【図４】
2008543374.tif 000007
【図４Ａ】
2008543374.tif 000008
【図４Ｂ】
2008543374.tif 000009
【図５】
2008543374.tif 000010
【図５Ａ】
2008543374.tif 000011
【図５Ｂ】
2008543374.tif 000012
【図５Ｃ】
2008543374.tif 000013
【図６】
2008543374.tif 000014
【図６Ａ】
2008543374.tif 000015
【国際調査報告】
2008543374.tif 000016
2008543374.tif 000017